(57)【要約】【課題】  携帯情報処理端末装置の限られた大きさの表示器を用いて大きい画像（コンテンツ）を違和感なくシームレスに表示させることができ、表示された画像（コンテンツ）上のオブジェクトに対してもイベントを起こすことのできるユーザインターフェースを提供できるようにする。【解決手段】  携帯情報処理端末装置１００では、操作対象となる表示器よりも大きな画像の指定を操作部１０２で受け付けた操作により指定部１０２で指定し、指定された画像を記憶部１０４に記憶させ、センサ部１０１で検出した移動量を計算部１０５で計算した結果に基づいて上記記憶部１０４に記憶された画像に対して表示部１０８に表示させる画像サイズに切出して、切出し制御部１０６で制御する。切出しが行われた画像を表示用メモリ１０７に展開し、表示部１０８で表示させる。【選択図】図１
2005251100.tif 000002
【特許請求の範囲】
【請求項１】
表示器を有する携帯情報処理端末装置において、
前記表示器の画面サイズより大きな画像情報を記憶する記憶手段と、
三次元空間上における装置自体の移動を検出する検出手段と、
前記検出手段の検出出力に対応して前記記憶手段に記憶された画像情報から前記表示器の画面サイズに対応した画像を切出し前記表示器に表示する表示制御手段と
を具備することを特徴とする携帯情報処理端末装置。
【請求項２】
前記検出手段は、
前記三次元空間上の所定の仮想平面上における前記装置自体の移動を検出し、
前記表示制御手段は、
前記検出手段による前記装置自体の前記三次元空間上の所定の仮想平面上における移動の検出に応じて前記表示器に表示する画像が前記画像情報の示す画像上における二次元的スクロール画像となるように前記画像情報から前記表示器の画面サイズに対応した画像を切出し前記表示器に表示する
ことを特徴とする請求項１記載の携帯情報処理端末装置。
【請求項３】
前記検出手段は、
前記三次元空間上の所定の仮想平面上に対する前記装置自体の上下の移動をさらに検出し、
前記画像表示制御手段は、
前記検出手段による前記装置自体の前記三次元空間上の所定の仮想平面上に対する上下の移動の検出に応じて前記表示器に表示する画像の拡大縮小率が変化するように前記表示器の画面サイズに対応した画像を切出し前記表示器に表示する
ことを特徴とする請求項２記載の携帯情報処理端末装置。
【請求項４】
前記表示器の画面上の固定位置にポインタを表示し、前記三次元空間上における装置自体の移動により前記ポインタを前記表示器の画面上に表示される所望のオブジェクトに重ね合わせことにより前記表示器の画面上に表示される所望のオブジェクトを選択するオブジェクト選択手段
を更に具備することを特徴とする請求項１記載の携帯情報処理端末装置。
【請求項５】
表示器を有する携帯情報処理端末装置の表示制御方法において、
三次元空間上における装置自体の移動を検出手段により検出し、
記憶手段に記憶されている前記表示器の画面サイズより大きな画像情報から前記検出手段の検出出力に対応して前記表示器の画面サイズに対応した画像を切出し、
該切出した画像を前記検出手段の検出出力に対応してスクロールして前記表示器に表示する
ことを特徴とする表示制御方法。
【請求項６】
表示器を有する携帯情報処理端末装置の表示処理をコンピュータにより実行させる制御プログラムであって、
三次元空間上における装置自体の移動を検出するステップと、
記憶手段に記憶されている前記表示器の画面サイズより大きな画像情報から前記検出手段の検出出力に対応して前記表示器の画面サイズに対応した画像を切出すステップと、
該切出した画像を前記検出手段の検出出力に対応してスクロールして前記表示器に表示するステップと
を含むことを特徴とする表示制御プログラム。
【発明の詳細な説明】
【技術分野】
【０００１】
本発明は、携帯情報処理端末装置および表示制御方法および表示制御プログラムに関し、特に、携帯情報処理端末装置の移動を利用して携帯情報処理端末装置の表示器の表示画面よりも大きなイメージを簡単な操作でスクロール表示させることができるようにした携帯情報処理端末装置および表示制御方法および表示制御プログラムに関する。
【背景技術】
【０００２】
一般に、情報量の多い画像（コンテンツ）を携帯性に優れた携帯電話機やＰＤＡ（Personal Digital Assistants）等の携帯情報処理端末装置であるモバイル端末上で表示させる際には、モバイル端末の画面に収まるように画像（コンテンツ）の表示サイズを縮小することで実現している。
【０００３】
しかし、モバイル端末の画面に表示された縮小画像ではユーザにとって必ずしも見やすいものであるとはいえない。さらに、表示画面を操作するためには上下スクロール操作という貧弱なインターフェースを用いることしかできないため、この貧弱なインターフェースにマッチした画像（コンテンツ）しか作成できない。
【０００４】
また、作成された画像（コンテンツ）を自在に操作するインターフェースとして端末の角度や位置を検出して表示エリアをスクロールする従来技術として、特許文献１に開示されたものがある。
【０００５】
この特許文献１に開示された従来技術においては、端末の位置や角度を検知して移動距離や移動速度を算出することで複数の画面を自動的に切り替えることを可能にしている。
【０００６】
また、端末の使用状況の変更があった場合、仮想面の数や表示属性を変更し、注目して表示する仮想面の自動変更を設定することを可能にした従来技術としては、特許文献２に開示されたものがある。
【特許文献１】特開平１１−６５８１０
【特許文献２】特開２００２−３０５６９１
【発明の開示】
【発明が解決しようとする課題】
【０００７】
しかしながら、特許文献１に示された従来技術においては、位置角度センサが取り付けられた端末装置を用いて端末装置の移動距離や移動速度を算出することで複数の画像を切り替えることを可能としているが、単独の表示面積が大きい画像（コンテンツ）をシームレスに表示させることができないという問題がある。
【０００８】
また、特許文献２に示された従来技術では、特許文献１に示されたものと同じように位置角度センサが取り付けられた装置で、仮想面の数や仮想面の表示情報データである表示属性を変更することで端末に表示する仮想面を自動的に変更しているが、仮想面を形成する画像一つ一つに対して表示属性を設定しているため手間やコストがかかるだけでなく、複数の仮想面を切り替えるため操作性に問題がある。
【０００９】
そこで、本発明は、携帯情報処理端末装置の限られた大きさの表示器を用いて大きい画像（コンテンツ）を簡単な操作でシームレスに表示させることができるようにした携帯情報処理端末装置および表示制御方法および表示制御プログラムを提供することを目的とする。
【課題を解決するための手段】
【００１０】
上記目的を達成するため、請求項１の発明は、表示器を有する携帯情報処理端末装置において、前記表示器の画面サイズより大きな画像情報を記憶する記憶手段と、三次元空間上における装置自体の移動を検出する検出手段と、前記検出手段の検出出力に対応して前記記憶手段に記憶された画像情報から前記表示器の画面サイズに対応した画像を切出し前記表示器に表示する表示制御手段とを具備することを特徴とする。
【００１１】
また、請求項２の発明は、請求項１の発明において、前記検出手段は、前記三次元空間上の所定の仮想平面上における前記装置自体の移動を検出し、前記表示制御手段は、前記検出手段による前記装置自体の前記三次元空間上の所定の仮想平面上における移動の検出に応じて前記表示器に表示する画像が前記画像情報の示す画像上における二次元的スクロール画像となるように前記画像情報から前記表示器の画面サイズに対応した画像を切出し前記表示器に表示することを特徴とする。
【００１２】
また、請求項３の発明は、請求項１の発明において、前記検出手段は、前記三次元空間上の所定の仮想平面上に対する前記装置自体の上下の移動をさらに検出し、前記画像表示制御手段は、前記検出手段による前記装置自体の前記三次元空間上の所定の仮想平面上に対する上下の移動の検出に応じて前記表示器に表示する画像の拡大縮小率が変化するように前記表示器の画面サイズに対応した画像を切出し前記表示器に表示することを特徴とする。
【００１３】
また、請求項４の発明は、請求項１の発明において、前記表示器の画面上の固定位置にポインタを表示し、前記三次元空間上における装置自体の移動により前記ポインタを前記表示器の画面上に表示される所望のオブジェクトに重ね合わせことにより前記表示器の画面上に表示される所望のオブジェクトを選択するオブジェクト選択手段を更に具備することを特徴とする。
【００１４】
また、請求項５の発明は、三次元空間上における装置自体の移動を検出手段により検出し、記憶手段に記憶されている前記表示器の画面サイズより大きな画像情報から前記検出手段の検出出力に対応して前記表示器の画面サイズに対応した画像を切出し、該切出した画像を前記表示器に表示することを特徴とする。
【００１５】
また、請求項６の発明は、表示器を有する携帯情報処理端末装置の表示処理をコンピュータにより実行させる制御プログラムであって、三次元空間上における装置自体の移動を検出するステップと、記憶手段に記憶されている前記表示器の画面サイズより大きな画像情報から前記検出手段の検出出力に対応して前記表示器の画面サイズに対応した画像を切出すステップと、該切出した画像を前記表示器に表示するステップとを含むことを特徴とする。
【発明の効果】
【００１６】
本発明によれば、三次元空間上における装置自体の移動を検出手段により検出し、記憶手段に記憶されている前記表示器の画面サイズより大きな画像情報から検出手段の検出出力に対応して表示器の画面サイズに対応した画像を切出し、該切出した画像を検出手段の検出出力に対応してスクロールして表示器に表示するように構成したので、携帯情報処理端末装置の限られた大きさの表示器を用いて大きい画像（コンテンツ）を簡単な操作でシームレスに表示させることができるという効果を奏する。
【発明を実施するための最良の形態】
【００１７】
以下、本発明に係わる携帯情報処理端末装置および方法およびプログラムの一実施例を添付図面を参照して詳細に説明する。
【実施例１】
【００１８】
図１は、この発明に係わる携帯情報処理端末装置および方法およびプログラムを適用して構成した画像表示制御システムのシステム構成図である。
【００１９】
図１において、この携帯情報処理端末装置１００は、センサ部１０１、操作部１０２、指定部１０３、コンテンツ記憶部１０４、計算部１０５、画像切出し制御部１０６、表示用メモリ１０７、表示部１０８を具備して構成される。
【００２０】
ここで、センサ部１０１は、この携帯情報処理端末装置１００の三次元空間上における初期位置からの移動を検出するもので、加速度センサ等を具備して構成される。
【００２１】
操作部１０２は、テンキー等を有し、ユーザによるユーザ入力を行うものである。
【００２２】
指定部１０３は、操作部１０２のユーザ操作に基づき表示部１０８に表示するコンテンツの指定制御等を行う。
【００２３】
コンテンツ記憶部１０４は、表示部１０８に表示するコンテンツを記憶する。このコンテンツ記憶部１０４に記憶するコンテンツは、例えば、表示部１０８の表示画面よりサイズの大きい地図情報等からなる。
【００２４】
計算部１０５は、センサ部１０１の検出出力に基づき、表示部１０８に表示する地図情報等のスクロール方向およびスクロール量を算出する。
【００２５】
すなわち、計算部１０５は、センサ部１０１によりこの携帯情報処理端末装置１００がこの携帯情報処理端末装置１００の表示部１０８の表示画面を含む仮想平面上で例えば、右方向に所定量移動したと検出されれば、表示部１０８に表示する地図情報等のスクロール方向として右方向が設定され、この右方向のスクロール量としてその移動量に対応した値が計算される。
【００２６】
また、計算部１０５は、センサ部１０１により、この携帯情報処理端末装置１００がこの携帯情報処理端末装置１００の表示部１０８の表示画面を含む仮想平面上で左方向に所定量移動したと検出されれば、表示部１０８に表示する地図情報等のスクロール方向として左方向が設定され、この左方向のスクロール量としてその移動量に対応した値が計算される。
【００２７】
また、計算部１０５は、センサ部１０１の上記仮想平面に対する上下の移動検出出力に基づき表示部１０８の表示画面の拡大縮小率を算出する。
【００２８】
画像切出し制御部１０６は、計算部１０５の計算結果に基づき、コンテンツ記憶部１０４に記憶された表示部１０８の表示画面よりサイズの大きい地図情報等から表示部１０８の表示画面に表示する画像を切出して表示用メモリ１０７に記憶し、これにより表示部１０８の表示画面に対する画像の表示を行う。
【００２９】
ここで、画像切出し制御部１０６による画像切出しは、計算部１０５で計算されたスクロール方向およびスクロール量および拡大縮小率に基づきシームレスに行われ、これに伴って、コンテンツ記憶部１０４に記憶された表示部１０８の表示画面よりサイズの大きい地図情報等の一部が表示部１０８の表示画面にシームレスに表示される。
【００３０】
例えば、計算部１０５で計算されたスクロール方向が表示部１０８の表示画面を含む仮想平面上で左方向であり、そのスクロール量が順次変化すると、コンテンツ記憶部１０４に記憶された表示部１０８の表示画面よりサイズの大きい地図情報の一部が画像切出し制御部１０６により、順次切出されて、表示部１０８の表示画面にシームレスに表示される。
【００３１】
また、計算部１０５で計算された拡大縮小率に応じてコンテンツ記憶部１０４に記憶された表示部１０８の表示画面よりサイズの大きい地図情報等の切出される領域の大きさを変化させ、その結果、計算部１０５で計算された拡大縮小率が小さい場合は広い範囲の画像が切出されて縮小表示され、拡大縮小率が大きいと、狭い範囲の画像が切出されて拡大表示される。
【００３２】
このような構成によると、表示部１０８の表示画面に表示された画像を携帯情報処理端末装置１００の移動に応じて任意の方向にスクロール表示することができ、更に、この携帯情報処理端末装置１００の上記仮想平面に対する上下の移動、例えば、この携帯情報処理端末装置１００をユーザに近づければ、表示部１０８の表示画面に表示された画像を拡大し、遠ざければ縮小して表示範囲を広げる表示操作も可能になる。
【００３３】
図２は、本発明の携帯情報処理端末装置が三次元空間（ＸＹＺ空間）上を移動したときのベクトル図である。
【００３４】
図２において、携帯情報処理端末装置１００を初期位置（位置Ａ）から移動先（位置Ｂ）させた場合、Ｘ方向の移動量はΔｘ、Ｙ方向の移動量はΔｙ、Ｚ方向の移動量はΔｚとなり、このＸ方向の移動量ΔｘおよびＹ方向の移動量ΔｙおよびＺ方向の移動量Δｚを携帯情報処理端末装置１００に取り付けられたセンサ部１０１により検出する。そして、このセンサ部１０１により検出したＸ方向の移動量ΔｘおよびＹ方向の移動量ΔｙおよびＺ方向の移動量Δｚに基づき、計算部１０５で表示部１０８に表示する地図情報等のスクロール方向およびスクロール量および拡大縮小率を算出し、このスクロール方向およびスクロール量および拡大縮小率に基づき画像切出し制御部１０６による地図情報等から切出し領域を制御することで、表示部１０８に表示される画像をスクロール、拡大、縮小することができる。
【００３５】
図３は、この発明に係わる携帯情報処理端末装置１００が移動する二次元平面（ＸＹ平面）を示す図である。
【００３６】
図３においては、携帯情報処理端末装置１００を初期位置（原点位置）からＸ方向にΔｘ移動させ、Ｙ方向にΔｙ移動させた場合を示している。この場合、表示部１０８に表示される地図情報等の画像は、その原点位置からＸ方向にΔｘ、Ｙ方向にΔｙに対応した距離だけスクロールされる。
【００３７】
図４は、図３に示すように携帯情報処理端末装置１００を二次元平面（ＸＹ平面）で移動した場合に記憶部１０４から画像切出し制御部１０６により切出される画像（コンテンツ）を説明する図である。
【００３８】
図４に示すように、記憶部１０４には、表示器１０８の表示画面サイズよりも大きな画像４００が記憶されており、図４においては、初期状態で画像切出し制御部１０６により切出された表示器１０８のサイズの画像を画像４０１で示し、携帯情報処理端末装置１００の移動操作により移動した先で切出される表示器１０８のサイズの画像を画像４０２で示す。
【００３９】
また、表示器１０８に画像４０２が表示されている状態で、携帯情報処理端末装置１００の再移動操作により移動した先で切出される表示器１０８のサイズの画像を画像４０２で示す。
【００４０】
このように、表示器１０３には、表示器１０８の表示画面サイズよりも大きな画像４００が、携帯情報処理端末装置１００の移動操作に伴って順次切出されてスクロール表示される。
【００４１】
図５は、この発明に係わる携帯情報処理端末装置１００の移動を二次元平面（ＸＺ平面）で示した図である。
【００４２】
図５においては、携帯情報処理端末装置１００を三次元空間上で移動させた場合、二次元平面（ＸＺ平面）上でＸ方向にΔｘ、Ｚ方向にΔｚ移動した状態を示している。
【００４３】
この場合、表示部１０８に表示される画像の切出し部分は、現在の初期位置からＸ方向にΔｘだけ移動させ、さらにＺ方向の距離Δｚに対応した拡大率または縮小率された画像となる。
【００４４】
図６は、この発明に係わる携帯情報処理端末装置１００の移動を二次元平面（ＹＺ平面）で示した図である。
【００４５】
図６においては、携帯情報処理端末装置１００を三次元空間上で移動させた場合、二次元平面（ＹＺ平面）上でＹ方向にΔｙ、Ｚ方向にΔｚ移動した状態を示している。
【００４６】
この場合、表示部１０８に表示される画像の切出し部分は、現在の初期位置からＹ方向にΔｙだけ移動させ、さらにＺ方向の距離Δｚに対応した拡大率または縮小率された画像となる。
【００４７】
図７は、画像を二次元平面と見立てた場合の携帯情報処理端末装置１００を上下移動（Ｚ座標方向）した場合の表示部１０８の表示画面に表示される画像を説明する図である。
【００４８】
図７においては、初期状態の表示部１０８の表示画面サイズの画像が平面７０１（平面２）で表示されており、ＸＹ方向（縦方向、横方向）に移動することなく、Ｚ方向（上下方向）の移動を行い、手前に携帯情報処理端末装置１００を移動させた場合の表示部１０８に表示される画像が平面７０２（平面１）、逆に、携帯情報処理端末装置１００を遠ざかるように移動させた場合の表示部１０８に表示される画像が平面７０３（平面３）でい示されている。
【００４９】
すなわち、携帯情報処理端末装置１００を手前に移動操作した場合、表示部１０８に表示される画像は拡大され、その表示範囲は小さくなる。具体的には、平面２（７０１）の表示範囲を小さくした画像７０４を拡大して平面１（７０２）に表示する。それに対して、携帯情報処理端末装置１００を遠ざけるように移動操作した場合、表示部１０８に表示される画像は縮小され、その表示範囲は大きくなる。具体的には、平面２（７０１）の表示範囲を平面３（７０３）に示すように小さくし、表示部１０８に表示される画像の範囲を大きくした画像を表示する。
【００５０】
図８は、携帯情報処理端末装置１００の移動軌跡を示した図である。
【００５１】
図８には、携帯情報処理端末装置１００の初期位置である始点Ｓ（８０１）、移動を行い、たどり着いた終点Ｅ（８０２）、携帯情報処理端末装置１００の移動経路中の移動方向（８０３）が示されている。携帯情報処理端末装置１００の始点Ｓ（８０１）と終点Ｅ（８０２）間の移動は幾何学的に微小であり、移動距離を測定するために移動経路を拡大表示させている。
【００５２】
三次元空間の幾何学的微小区間（微小時間）[t+Δt]の移動距離は、「f = F(x) = (Δx(t),Δy(t),Δz(t))」と表すことができる。よってある特定微小区間[S→E]の総移動距離は、次に示す計算式によって求めることができる。
【００５３】
【数１】
2005251100.tif 000003
【００５４】
上記、計算式で求めた移動距離に基づいて、表示画面サイズよりも大きな画像（コンテンツ）の表示画面の切出し部分４０１を移動していくことができる。
【００５５】
図９は、この発明に係わる携帯情報処理端末装置１００の表示画面上に画面を表示するフローチャートである。
【００５６】
図９では、ユーザが表示器の表示領域より大きな画像（コンテンツ）の表示要求（ステップ９０１）すると処理が開始され、初期状態の位置における画像（コンテンツ）を切出し制御部１０６によって切出された画像サイズで表示部１０８に表示させ（ステップ９０２）、携帯情報処理端末装置１００の姿勢状態により決定される二次元平面（ＸＹ平面）の移動をセンサ部１０１で検出する（ステップ９０３）。検出された移動方向や移動量などの情報を基に、計算部１０５で移動方向や移動量などを計算する（ステップ９０４）。さらに、携帯情報処理端末装置１００を上下移動させることにより画像（コンテンツ）の拡大率または縮小率の計算を行い（ステップ９０５）、計算された拡大率または縮小率に基づいて画像（コンテンツ）を再表示させる（ステップ９０７）。
【００５７】
図１０は、この発明に係わる携帯情報処理端末装置１００の表示部１０８に表示する画像上のオブジェクトを走査線によって操作する場合を示す図である。
【００５８】
図１０には、表示部１０８上にユーザがこの携帯情報処理端末装置１００の三次元空間上における移動により選択した画像（コンテンツ）が表示させている状態を示している。
【００５９】
また、この画像には操作対象のオブジェクト（１００１，１００２）が表示されている。ここで、携帯情報処理端末装置１００の表示部１０８に表示する画像としては地図を想定しており、オブジェクト（１００１，１００２）は、この地図上に表示された駅、川等を含む。
【００６０】
オブジェクト（１００１，１００２）の操作を行うために走査線（１００３，１００４）を縦横に表示させ、該走査線の交差点を上記した携帯情報処理端末装置を移動させることによって、該オブジェクト（１００１，１００２）上に移動させる。
【００６１】
ここに示す例では、縦横に表示させた走査線（１００３，１００４）をオブジェクト上に装置を動かすことによってポイントし、操作部１０２を用いてイベントを発生させることができる。
【実施例２】
【００６２】
移動距離を検出し、表示画面を切り替える方法として加速度センサを用いて行う方法を示す。
【００６３】
携帯情報処理端末装置１００の移動検出に加速度センサを用いることにより携帯情報処理端末装置１００の移動方向と加速度を検出することができる。
【００６４】
現在の携帯情報処理端末装置１００の状態（姿勢、三次元空間上の位置）を初期状態として登録し、登録された初期状態から携帯情報処理端末装置１００の移動から移動方向と加速度を検出し、該データにより表示部１０８に表示させる画像（コンテンツ）の移動方向、移動量を算出する。移動量は移動距離から算出するのではなく、検出した加速度により算出するため、短い距離を高速に移動させることで表示画面の表示領域（切出し画面）上に、遠距離にある画像範囲を少しの移動により表示することができる。
【００６５】
図１２に示す例では、携帯情報処理端末装置１００の表示部１０８のサイズに切出された画像サイズ１１０１が初期状態として登録されていることを示している。携帯情報処理端末装置１００を距離Ｌだけ移動させ、このときの上記移動方向と加速度を加速度センサにより算出し、算出結果に応じた切出し画像１１０２を表示する。
【００６６】
加速度センサを用いて検出することにより表示器に表示できる画像（コンテンツ）が大きい場合でも、最小限の移動によって遠距離にある画像を隅々まで容易に参照することが可能となる。
【００６７】
以上の処理によって、携帯情報処理端末装置１００を移動させることにより表示画面上の画像（コンテンツ）をシームレスに移動させることができ、さらに、画面表示されたオブジェクト上に走査線の交差点をポイントすることによりオブジェクトを操作することが可能になる。
【００６８】
従って、本発明を適用することで、携帯情報処理端末装置１００を物理的に移動させることにより画像（コンテンツ）をスクロールや拡大縮小することができるので、表示範囲の広い画像（コンテンツ）を表示させた場合にシームレスに表示することができ、さらに、ＰＣ（Personal Computer）のようなユーザインターフェースを持たせることにより操作性を向上させることができるという効果を期待できる。
【００６９】
なお、本発明は、上記し、且つ図面に示す実施形態に限定することなく、その要旨を変更しない範囲内で適宜変形して実施できるものである。
【産業上の利用可能性】
【００７０】
本発明は、三次元空間上の位置情報を検出できるセンサを装備した端末に適用可能であり、特に、表示面積の大きい画像（コンテンツ）の一部を携帯性に優れる携帯電話やＰＤＡなどのモバイル端末の表示画面上に表示させて、ユーザがモバイル端末を移動させることで表示画像をシームレスに移動して表示させるのに有効であり、走査線を用いることによりユーザインターフェースを向上させているので画像（コンテンツ）上のオブジェクトを容易に操作するのにも有効である。
【図面の簡単な説明】
【００７１】
【図１】この発明に係わる携帯情報処理端末装置１００の構成図。
【図２】この発明に係わる携帯情報処理端末装置１００の三次元空間上の移動情報を示す図。
【図３】この発明に係わる携帯情報処理端末装置１００の二次元平面（ＸＹ平面）を示す図。
【図４】この発明に係わる二次元平面（ＸＹ平面）での切出された画像の移動を示す図。
【図５】この発明に係わる携帯情報処理端末装置１００の二次元平面（ＸＺ平面）を示す図。
【図６】この発明に係わる携帯情報処理端末装置１００の二次元平面（ＹＺ平面）を示す図。
【図７】この発明の画像（コンテンツ）を二次元平面と見立てた場合の上下移動（Ｚ座標方向）を示す図。
【図８】この発明に係わる携帯情報処理端末装置１００の移動軌跡を示した図。
【図９】この発明に係わる携帯情報処理端末装置１００の表示画面上に画面を表示するフローチャート。
【図１０】この発明に係わる携帯情報処理端末装置１００の表示部１０８に表示させた画像上のオブジェクトを走査線によって操作を行うことを示す図。
【図１１】本発明に係わる携帯情報処理端末装置１００の切出し画像の実施例２による移動を示す図。
【符号の説明】
【００７２】
１００      携帯情報処理端末装置
１０１      センサ部
１０２      操作部
１０３      指定部
１０４      コンテンツ記憶部
１０５      計算部
１０６      切出し制御部
１０７      表示用メモリ
１０８      表示部
２００      表示器の表示画面よりも大きな画像
【図１】
2005251100.tif 000004
【図２】
2005251100.tif 000005
【図３】
2005251100.tif 000006
【図４】
2005251100.tif 000007
【図５】
2005251100.tif 000008
【図６】
2005251100.tif 000009
【図７】
2005251100.tif 000010
【図８】
2005251100.tif 000011
【図９】
2005251100.tif 000012
【図１０】
2005251100.tif 000013
【図１１】
2005251100.tif 000014